(57)【特許請求の範囲】
【請求項１】
浴室壁面に設けられる浴室用天板の支持具であって、浴室用天板の前後方向に沿ってその下面に取り付けられる天板取付け用部材と、上記の浴室壁面に固定される壁取付け用部材とで形成され、この壁取付け用部材の上下方向に延びる差込みスペースに上方から差込まれる差込み片が、上記の天板取付け用部材の後端部に垂下状に設けられ、また天板取付け用部材の前端部に上端が連結される支持腕が、壁取付け用部材に設けられていることを特徴とする浴室用天板の支持具。
【請求項２】
請求項１記載の浴室用天板の支持具であって、支持腕の上端と、天板取付け用部材の前端部とが、嵌め付け可能に形成されていることを特徴とする浴室用天板の支持具。
【請求項３】
浴室壁面に設けられる浴室用天板の支持具であって、浴室用天板の前後方向に沿ってその下面に取り付けられる天板取付け用部材と、上記の浴室壁面に固定される壁取付け用部材とで形成され、この壁取付け用部材の上下方向に延びる差込みスペースに上方から差込まれる差込み片が、上記の天板取付け用部材の後端部に垂下状に設けられ、また壁取付け用部材に下端が連結される支持腕部材が、天板取付け用部材の前端部に上端を枢着させて浴室用天板の前後方向に上下回動可能に設けられていることを特徴とする浴室用天板の支持具。
【請求項４】
請求項１乃至３の何れかに記載の浴室用天板の支持具であって、壁取付け用部材が、浴室壁面に当接する左右一対の板片状のベース部と、このベース部の間の凹溝状の段差部とで横断面が浅底の略皿形状に形成されていることを特徴とする浴室用天板の支持具。
【発明の詳細な説明】
【技術分野】
【０００１】
本発明は、浴室用天板の支持具に関し、更に詳しくは入浴時に洗面器等を載置するのに使用する浴室用天板の支持具に関するものである。
【背景技術】
【０００２】
従来この種の支持具としては、例えば特許文献１に記載されているものがある。
この従来品は、支持具としてのブラケットで浴室用天板（カウンター本体）を支持するよう形成され、ブラケットは開口部を窓状に有して略Ｄ字状に形成され、浴室壁面にネジ止めされるよう形成されている。
【０００３】
従来品は、上記の通り、支持具それ自体を浴室壁面にネジ止めし、この支持具に浴室用天板を被せて設置する構造であった。
従って従来、例えば浴室用天板の前垂れが浴室壁面の側に深く長く延ばされている場合（浴室用天板が深型の場合）は、支持具に浴室用天板をネジ止めする際、下方から浴室用天板の中を覗き込んで窮屈な姿勢で作業を行う必要があった。
その結果、従来品によると、浴室用天板が深型の場合は、簡単且つ楽に設置できない、という問題点があった。
【０００４】
また従来品は、上記の通り、支持具が略Ｄ字状に形成されているため、浴室壁面に給水管等が配管されていると、それを跨いで支持具を取り付けることができない、という問題点があった。
また従来品において、支持具の窓状の開口部に給水管等を通して配管する場合は、給水管等を開口部の側方からしか通すことができなかった。
従って従来品によると、例えば配管数が増加すると、作業に手間暇がかかり易く、また支持具を取り付けた後に配管作業をする場合は作業効率が悪くなるのを避けられなかった。
【０００５】
また従来品は、上記の通り、支持具が略Ｄ字状に形成されているため、支持具の開口部に給水管等を通して配管した場合は、例えばメンテナンス時やリフォーム時に、給水管等をそのままにして支持具だけを取り外す、ということができなかった。
従って従来品によると、配管までも取り外す必要があったから、浴室用天板の撤去作業に手間暇やコストがかかる、という問題点があった。
【０００６】
また従来、この種の支持具は、通常、浴室用天板を支持する必要性から、浴室壁面の前方に、ある程度長く突き出されるものである。
従って従来品のように、支持具の全体を浴室壁面に取り付ける場合は、支持具を浴室壁面にネジ止めするとき、支持具の先端が邪魔になり易いものであった。それ故、従来品によると、浴室壁面に正対して楽な姿勢でネジ止めすることが難しい、という問題点があった。
【先行技術文献】
【特許文献】
【０００７】
【特許文献１】特開２００９−１００９０３号公報
【発明の概要】
【発明が解決しようとする課題】
【０００８】
本発明は、このような従来品の問題点に鑑み、提案されたものである。
従って本発明の解決しようとする技術的課題は、浴室用天板が深型の場合でも簡単且つ楽に設置でき、配管作業に左右されることなく設置でき、またメンテナンス時やリフォーム時等に配管を撤去することなく取り外すことができ、更には設置作業を浴室壁面の正面から楽にできるよう形成した浴室用天板の支持具を提供することにある。
【課題を解決するための手段】
【０００９】
本発明は、上記の課題を解決するため、次のような技術的手段を採る。
即ち本発明は、図１等に示されるように、浴室壁面１に設けられる浴室用天板２の支持具であって、浴室用天板２の前後方向に沿ってその下面に取り付けられる天板取付け用部材３と、上記の浴室壁面１に固定される壁取付け用部材４とで形成され、この壁取付け用部材４の上下方向に延びる差込みスペースＳに上方から差込まれる差込み片３ｂが、上記の天板取付け用部材３の後端部に垂下状に設けられ、また天板取付け用部材３の前端部３ｃに上端６ａが連結される支持腕６が、壁取付け用部材４に設けられていることを特徴とする（請求項１）。
【００１０】
本発明の場合、天板取付け用部材３は、通常、例えば長板状の水平板部３ａを備えて形成されるが、浴室用天板２の前後方向に沿ってその下面に取り付け可能に形成されているのであれば、その形状は自由である。天板取付け用部材３を浴室用天板２の下面に取り付ける仕方としては、ネジ止めや嵌着等の手段がある。また本発明は、壁取付け用部材４に天板取付け用部材３の差込み片３ｂを差し込み可能に形成されているのであれば、差込みスペースＳや差込み片３ｂの形状、個数等は自由である。また本発明の場合、支持腕６は、浴室用天板２に加わる荷重を支持でき、且つ天板取付け用部材３の下側に配管７を通すための空間を作ることができる形状であれば良く、棒状や板状に限定されるものではない。ただ、この支持腕６は、天板取付け用部材３の下側に、配管７を通すための空間を大きく作ることができるよう、側面視で、例えば途中が所定角度曲げられて棒状等に形成されると共に、傾斜状に立ち上げられたり（図３等参照）、或いは凹湾曲状やＬ字状に形成されるのが好ましい。
【００１１】
また本発明の場合、支持腕６の上端６ａと天板取付け用部材３の前端部３ｃとの連結は、ネジ等の連結部材を使用するのでも良いが、図１、図３に示されるように、支持腕６の上端６ａと、天板取付け用部材３の前端部３ｃとが、嵌め付け可能に形成されているのが好ましい（請求項２）。
なぜならこれによると、両者の連結作業を、簡単、迅速にできるからである。
【００１２】
また本発明の課題を達成する他の構成としては、図４、図５に示されるように形成されているものがある。
即ちこの本発明は、浴室壁面１に設けられる浴室用天板２の支持具であって、浴室用天板２の前後方向に沿ってその下面に取り付けられる天板取付け用部材３と、上記の浴室壁面１に固定される壁取付け用部材４とで形成され、この壁取付け用部材４の上下方向に延びる差込みスペースＳに上方から差込まれる差込み片３ｂが、上記の天板取付け用部材３の後端部に垂下状に設けられ、また壁取付け用部材４に下端１０ａが連結される支持腕部材１０が、天板取付け用部材３の前端部３ｃに上端１０ｂを枢着させて浴室用天板２の前後方向に上下回動可能に設けられていることを特徴とする（請求項３）。
【００１３】
ここで、天板取付け用部材３の形状や、浴室用天板２の下面に対する取り付け方法、また差込みスペースＳや差込み片３ｂの形状や個数等、及び支持腕部材１０の形状等に関しては、請求項１の本発明品の場合と同様である。また支持腕部材１０の上端１０ｂの枢着は、具体的には蝶番や横軸１２で実現される。
【００１４】
また本発明の場合、壁取付け用部材４は、図２等に示されるように、浴室壁面１に当接する左右一対の板片状のベース部４ａと、このベース部４ａの間の凹溝状の段差部４ｂとで横断面が浅底の略皿形状に形成されているのが好ましい（請求項４）。
なぜならこれによると、差込みスペースＳを、壁面１との間で作ることができ、例えば金属板を折り曲げ加工することで壁取付け用部材４を、簡単且つ低コストで形成できるからである。なお、ここで、横断面が浅底の略皿形状とは、壁取付け用部材４は、ベース部４ａから段差部４ｂの底までの間隔が短い、底が浅い状態に形成されている、ということを意味する。
【発明の効果】
【００１５】
本発明は、このように形成されているから、浴室用天板の内側下面に天板取付け用部材を取り付けてから、壁取付け用部材の差込みスペースに差し込み、支持腕の上端と天板取付け用部材の前端部とを連結することで、浴室用天板を浴室壁面に取り付けることができる。
従ってこれによると、浴室用天板の前垂れが深型の場合でも、作業者に無理な姿勢を強いることなく、簡単且つ楽に設置できる。
【００１６】
また本発明は、上記の通り、天板取付け用部材と壁取付け用部材との二つの部材で形成されている。
従ってこれによると、給水管等を配管する場合、左右側からだけではなく、壁取付け用部材と支持腕とが作る空間部に、上側からも給水管等を差し入れて配管でき、配管作業を、簡単且つ迅速にできる。
【００１７】
また本発明は、上記の通り、天板取付け用部材と壁取付け用部材との二つの部材で形成されているから、これによると、施工ミス等により、支持具（浴室用天板）を取り外す必要が生じたときでも、漏水の危険が最も起き易い配管自体には手を付けることなく、支持具の撤去作業を容易に行うことができる。
【００１８】
また本発明は、浴室壁面に既に配管されている場合でも、例えば、配管と浴室壁面との間の隙間から、その下方の壁取付け用部材の差込みスペースに差込み片を差し込んで天板取付け用部材を取り付けることにより、配管を跨ぐようにして支持具（浴室用天板）を浴室壁面に簡単に取り付けることができる。
【００１９】
また本発明は、同様の理由から、メンテナンス時やリフォーム時は、配管を撤去することなく、支持具を解体して浴室用天板を取り外すことができる。
従って本発明によると、配管作業が済んだ後でも設置でき、またメンテナンス時やリフォーム時は配管に影響を与えることなく撤去できる。
【図面の簡単な説明】
【００２０】
【図１】本発明の支持具の好適な一実施形態を示す要部分解斜視図である。
【図２】同上支持具の壁取付け用部材の横断面図である。
【図３】同上支持具の取付け時の要部側面図である。
【図４】本発明の他の構成を示す要部分解斜視図である。
【図５】同上支持具の取付け時の要部側面図である。
【発明を実施するための形態】
【００２１】
以下、本発明を実施するための好適な一実施形態を添付図面に従って説明する。
本発明は、図１等に示されるように、浴室壁面１に設けられる浴室用天板２の支持具であり、浴室用天板２の前後方向に沿ってその下面に取り付けられる天板取付け用部材３と、上記の浴室壁面１に固定される壁取付け用部材４とで形成されている。
【００２２】
上記の天板取付け用部材３は、この実施形態では長板状の水平板部３ａを備えて形成され、浴室用天板２の下面に、例えばネジ止めされるものである。またこの天板取付け用部材３は、その後端部に、壁取付け用部材４の上下方向に延びる差込みスペースＳに上方から差込まれる差込み片３ｂが、垂下状に設けられている。
【００２３】
また上記の壁取付け用部材４は、金属板が折り曲げ加工され、浴室壁面１に当接する左右一対の板片状のベース部４ａと、このベース部４ａの間の凹溝状の段差部４ｂとで横断面が浅底の略皿形状に形成されている。従って、上記の差込みスペースＳは、この壁取付け用部材４の段差部４ｂと、この段差部４ｂと対向する浴室壁面１との間に、上下方向に開口する薄い板状空間として形成されている。
【００２４】
また上記の差込み片３ｂは、差込みスペースＳにガタつくことなく差込み可能になるよう、厚みが差込みスペースＳの前後方向の間隔と略同じ長さに選定されて舌片状に形成されている。なお、ベース部４ａには、螺子５（図３参照）の止め付け孔４ａ１が、縦方向に一定の間隔をあけて複数形成されている。
【００２５】
また本発明は、壁取付け用部材４の例えば下部に、天板取付け用部材３の前端部３ｃに上端６ａが枢着される支持腕６が、溶接等の手段で設けられている。支持腕６は、側面視で途中が所定角度曲げられて棒状に形成され、天板取付け用部材３の下方に、配管７（図３参照）を通すための空間を大きく作ることができるよう、傾斜状に立ち上げられている。
【００２６】
また支持腕６の上端６ａと天板取付け用部材３の前端部３ｃとは、嵌め付け可能に形成されている。具体的には、支持腕６の上端６ａに、嵌合用の雌部８に形成され、天板取付け用部材３の前端部３ｃが下方に屈曲されると共に、下端に上記の雌部８に嵌合する雄部９が形成されている。
【００２７】
次に本発明品の設置作業の一例を説明する。
先ず、作業者は、浴室壁面１に壁取付け用部材４を螺子５（図３参照）で止め付ける。次に作業者は、浴室用天板２の内側下面に、天板取付け用部材３を、例えばネジ止めする。
【００２８】
そして作業者は、壁取付け用部材４の前側で、支持腕６の上方の空間に給水管等の配管７を通し、天板取付け用部材３の差込み片３ｂを壁取付け用部材４の差込みスペースＳに上方から差込む。また天板取付け用部材３の前端部３ｃの雄部９を、支持腕６の上端６ａの嵌合用の雌部８に嵌め付ける。これにより、浴室用天板２が浴室壁面１に固定される。なお、解体作業は、上例と逆の手順で行えば良い。
【００２９】
次に請求項３記載の本発明品の好適な一実施形態を、図４、図５に従って説明する。上例と同一部材、同一箇所には、同一の符号を付し、詳しい説明は省略する。
【００３０】
この本発明品は、上例と同様、浴室壁面１に設けられる浴室用天板２の支持具であり、浴室用天板２の前後方向に沿ってその下面に取り付けられる天板取付け用部材３と、上記の浴室壁面１に固定される壁取付け用部材４とで形成されている。
【００３１】
また壁取付け用部材４の上下方向に延びる差込みスペースＳに上方から差込まれる差込み片３ｂが、上記の天板取付け用部材３の後端部に垂下状に設けられている。壁取付け用部材４は、上例と同様、金属板が折り曲げ加工され、浴室壁面１に当接する左右一対の板片状のベース部４ａと、このベース部４ａの間の凹溝状の段差部４ｂとで横断面が浅底の略皿形状に形成されている。
【００３２】
また１０は、壁取付け用部材４の例えば下部に、下端１０ａが連結される支持腕部材である。この支持腕部材１０は、天板取付け用部材３の屈曲状の前端部３ｃに上端１０ｂを枢着させて浴室用天板２の前後方向に上下回動可能に設けられている。支持腕部材１０の下端１０ａは、この実施形態では壁取付け用部材４の段差部４ｂの前面と対向するプレート１１をフランジ状に備え、螺子５（図５参照）で上記の段差部４ｂに止め付け可能に形成されている。１１ａは、ネジ孔である。また支持腕部材１０の上端１０ｂは、横軸１２で天板取付け用部材３の前端部３ｃに枢着されている。
【００３３】
次にこの本発明品の設置作業の一例を説明する。
先ず、作業者は、図４に示されるように、浴室壁面１に壁取付け用部材４を螺子５（図５参照）で止め付ける。次に作業者は、浴室用天板２の内側下面に、天板取付け用部材３を、例えばネジ止めする。
【００３４】
そして作業者は、壁取付け用部材４の前側に給水管等の配管７を通し、天板取付け用部材３の差込み片３ｂを壁取付け用部材４の差込みスペースＳに上方から差込む。
その後、作業者は、支持腕部材１０を上方に横軸１２を中心に回し、下端１０ａのプレート１１を段差部４ｂに螺子５で止め付ける（図５の鎖線状態から実線状態参照）。これにより、配管７が支持腕部材１０の上方に通された状態で、浴室用天板２が浴室壁面１に固定される。なお、解体作業は、上例と逆の手順で行えば良い。
【００３５】
以上の処において、本発明は、上記の天板取付け用部材３、壁取付け用部材４、支持腕６、支持腕部材１０の形状や材質は自由である。天板取付け用部材３や壁取付け用部材４は、強度が十分であれば、樹脂製でも良い。
【００３６】
また壁取付け用部材２ｂは、例えば横断面が横長の長方形状（口状）の差込みスペースＳを有して形成されているのでも良い。また差込みスペースＳは、壁取付け用部材２ｂの上側に、上面開口状態で所定の深さだけ、形成されているのでも良い。
【符号の説明】
【００３７】
１      浴室壁面
２      浴室用天板
３      天板取付け用部材
３ｂ    差込み片
３ｃ    前端部
４      壁取付け用部材
６      支持腕
６ａ    上端
Ｓ      差込みスペース
【図１】
0005504919.tif 000002
【図２】
0005504919.tif 000003
【図３】
0005504919.tif 000004
【図４】
0005504919.tif 000005
【図５】
0005504919.tif 000006